(57)【要約】【課題】ユーザの利便性を向上することができる画像処理装置を提供すること目的とする。【解決手段】原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、前記線状光源として、前記読取面を照明する主走査方向の範囲を変化することができる照明幅可変線状光源を用いるとともに、前記原稿の用紙サイズを入力する用紙サイズ入力手段と、前記用紙サイズ入力手段から入力された用紙サイズに応じて、前記照明幅可変線状光源に前記読取面を照明させる範囲を制御する制御手段を備えた。【選択図】        図１
2009111548.tif 000002
【特許請求の範囲】
【請求項１】
原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、
前記線状光源として、前記読取面を照明する主走査方向の範囲を変化することができる照明幅可変線状光源を用いるとともに、
前記原稿の用紙サイズを入力する用紙サイズ入力手段と、
前記用紙サイズ入力手段から入力された用紙サイズに応じて、前記照明幅可変線状光源に前記読取面を照明させる範囲を制御する制御手段を備えたことを特徴とする画像処理装置。
【請求項２】
原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、
前記線状光源として、前記読取面を照明する主走査方向の範囲を変化することができる照明幅可変線状光源を用いるとともに、
前記画像データの複写画像を形成する複写画像形成手段と、
前記複写画像形成手段に記録紙を供給する給紙手段と、
前記給紙手段にセットされている前記記録紙のサイズを検出する記録紙サイズ検出手段と、
前記記録紙サイズ入力手段が検出した記録紙サイズに応じて、前記照明幅可変線状光源に前記読取面を照明させる範囲を制御する制御手段を備えたことを特徴とする画像処理装置。
【請求項３】
原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、
前記線状光源として、前記読取面を照明する主走査方向の範囲を変化することができる照明幅可変線状光源を用いるとともに、
前記原稿の用紙サイズを入力する用紙サイズ入力手段と、
前記画像データの複写画像を形成する複写画像形成手段と、
前記複写画像形成手段に記録紙を供給する給紙手段と、
前記給紙手段にセットされている前記記録紙のサイズを検出する記録紙サイズ検出手段と、
前記用紙サイズ入力手段から入力された用紙サイズに対応した第１の読み取り幅と、前記記録紙サイズ入力手段が検出した記録紙サイズに対応した第２の読み取り幅を比較して小さい方の読み取り幅に応じて、前記照明幅可変線状光源に前記読取面を照明させる範囲を制御する制御手段を備えたことを特徴とする画像処理装置。
【請求項４】
原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、
前記線状光源として、前記読取面を照明する主走査方向の範囲を変化することができる照明幅可変線状光源を用いるとともに、
前記原稿の用紙サイズを入力する用紙サイズ入力手段と、
複写倍率を入力する複写倍率入力手段と、
前記画像データの複写画像を形成する複写画像形成手段と、
前記複写画像形成手段に記録紙を供給する給紙手段と、
前記給紙手段にセットされている前記記録紙のサイズを検出する記録紙サイズ検出手段と、
前記用紙サイズ入力手段から入力された用紙サイズに対応した第１の読み取り幅と、前記記録紙サイズ入力手段が検出した記録紙サイズに対応した第２の読み取り幅と、前記複写倍率入力手段から入力された複写倍率に応じて、次の式（Ｉ）を実行して読み取り幅を算出し、その算出した読み取り幅に応じて、前記照明幅可変線状光源に前記読取面を照明させる範囲を制御する制御手段を備えたことを特徴とする画像処理装置。
読み取り幅＝（（第１の読み取り幅）×複写倍率）と（第２の読み取り幅）のうち狭い方の読み取り幅）／複写倍率    …（Ｉ）
【請求項５】
前記コンタクトガラスに入射される外光を検出する外光センサをさらに備え、
前記外光センサが検出した外光量が所定値よりも大きい場合、前記制御手段の制御を行わせ、前記外光量が所定値以下の場合、前記制御手段の制御を行わせないようにしたことを特徴とする請求項１または請求項２または請求項３または請求項４記載の画像処理装置。
【請求項６】
前記照明幅可変線状光源は、多数の発光ダイオード素子を一列に並べてなる発光ダイオードアレイと、
前記多数の発光ダイオード素子の点灯を駆動する点灯駆動手段からなることを特徴とする請求項１または請求項２または請求項３または請求項４または請求項５記載の画像処理装置。
【請求項７】
前記照明幅可変線状光源は、線状光源と、当該線状光源と前記原稿の読取面の間に設けられ、前記線状光源から出射される照明光を、前記線状光源の長尺方向に複数段階に遮光するシャッタ機構からなることを特徴とする請求項１または請求項２または請求項３または請求項４または請求項５記載の画像処理装置。
【発明の詳細な説明】
【技術分野】
【０００１】
本発明は、原稿画像を読み取って得た画像データを処理する画像処理装置に関する。
【背景技術】
【０００２】
従来、種々の画像処理機能を備えた画像処理装置、例えば、複合機により原稿の読み取りを行う際、ユーザはコンタクトガラス上に原稿を固定するための圧板（またはプラテン）を持ち上げ、原稿を載置する。その後圧板を下げ、原稿を固定した後に読み取りを行うのが一般的であるが、圧板を上げたまま読み取りを行うこともできる。これは複数原稿を入れ替える際の手間や、本など厚みがあり圧板を下げられない場合があるためである。
【特許文献１】特開２００６−１７９５１号公報
【発明の開示】
【発明が解決しようとする課題】
【０００３】
しかしながら、圧板を上げた状態で読み取りを行うと、原稿を照射するランプがユーザの視界に入り、眩しい場合がある。特に小サイズの原稿を読み取る場合、コンタクトガラス上で原稿に覆われない部分からランプの光が直接ユーザに届いてしまう。またユーザによっては、常に圧板を取り外して読み取りを行う場合があり、ユーザが眩しいと感じる頻度も高くなる。
【０００４】
本発明は、かかる実情に鑑みてなされたものであり、ユーザの利便性を向上することができる画像処理装置を提供すること目的とする。
【課題を解決するための手段】
【０００５】
本発明は、原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、前記線状光源として、前記読取面を照明する主走査方向の範囲を変化することができる照明幅可変線状光源を用いるとともに、前記原稿の用紙サイズを入力する用紙サイズ入力手段と、前記用紙サイズ入力手段から入力された用紙サイズに応じて、前記照明幅可変線状光源に前記読取面を照明させる範囲を制御する制御手段を備えたものである。
【０００６】
また、原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、前記線状光源として、前記読取面を照明する主走査方向の範囲を変化することができる照明幅可変線状光源を用いるとともに、前記画像データの複写画像を形成する複写画像形成手段と、前記複写画像形成手段に記録紙を供給する給紙手段と、前記給紙手段にセットされている前記記録紙のサイズを検出する記録紙サイズ検出手段と、前記記録紙サイズ入力手段が検出した記録紙サイズに応じて、前記照明幅可変線状光源に前記読取面を照明させる範囲を制御する制御手段を備えたものである。
【０００７】
また、原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、前記線状光源として、前記読取面を照明する主走査方向の範囲を変化することができる照明幅可変線状光源を用いるとともに、前記原稿の用紙サイズを入力する用紙サイズ入力手段と、前記画像データの複写画像を形成する複写画像形成手段と、前記複写画像形成手段に記録紙を供給する給紙手段と、前記給紙手段にセットされている前記記録紙のサイズを検出する記録紙サイズ検出手段と、前記用紙サイズ入力手段から入力された用紙サイズに対応した第１の読み取り幅と、前記記録紙サイズ入力手段が検出した記録紙サイズに対応した第２の読み取り幅を比較して小さい方の読み取り幅に応じて、前記照明幅可変線状光源に前記読取面を照明させる範囲を制御する制御手段を備えたものである。
【０００８】
また、原稿が載置されるコンタクトガラスの下面に配設され、前記原稿の主走査方向に長尺な線状光源を、前記原稿の副走査方向へ移動して前記原稿の読取面を照明し、前記読取面からの反射光を縮小光学系によりラインイメージセンサに導き、当該ラインイメージセンサの出力信号に基づいて、前記読取面の画像データを形成する画像処理装置であって、前記線状光源として、前記読取面を照明する主走査方向の範囲を変化することができる照明幅可変線状光源を用いるとともに、前記原稿の用紙サイズを入力する用紙サイズ入力手段と、複写倍率を入力する複写倍率入力手段と、前記画像データの複写画像を形成する複写画像形成手段と、前記複写画像形成手段に記録紙を供給する給紙手段と、前記給紙手段にセットされている前記記録紙のサイズを検出する記録紙サイズ検出手段と、前記用紙サイズ入力手段から入力された用紙サイズに対応した第１の読み取り幅と、前記記録紙サイズ入力手段が検出した記録紙サイズに対応した第２の読み取り幅と、前記複写倍率入力手段から入力された複写倍率に応じて、次の式（Ｉ）を実行して読み取り幅を算出し、その算出した読み取り幅に応じて、前記照明幅可変線状光源に前記読取面を照明させる範囲を制御する制御手段を備えたものである。
読み取り幅＝（（第１の読み取り幅）×複写倍率）と（第２の読み取り幅）のうち狭い方の読み取り幅）／複写倍率    …（Ｉ）
【０００９】
また、前記コンタクトガラスに入射される外光を検出する外光センサをさらに備え、前記外光センサが検出した外光量が所定値よりも大きい場合、前記制御手段の制御を行わせ、前記外光量が所定値以下の場合、前記制御手段の制御を行わせないようにしたものである。
【００１０】
また、前記照明幅可変線状光源は、多数の発光ダイオード素子を一列に並べてなる発光ダイオードアレイと、前記多数の発光ダイオード素子の点灯を駆動する点灯駆動手段からなるものである。
【００１１】
また、前記照明幅可変線状光源は、線状光源と、当該線状光源と前記原稿の読取面の間に設けられ、前記線状光源から出射される照明光を、前記線状光源の長尺方向に複数段階に遮光するシャッタ機構からなるものである。
【発明の効果】
【００１２】
したがって、本発明によれば、ユーザが圧板やプラテンを閉めずに原稿読み取り作業や複写作業を行った場合、実際に必要な画像の読み取り幅のみ、原稿の読取面を照明するので、ランプの光がユーザの目に入って眩しく感じるような不具合を解消することができるという効果を得る。
【発明を実施するための最良の形態】
【００１３】
以下、添付図面を参照しながら、本発明の実施の形態を詳細に説明する。
【００１４】
図１（ａ）は、本発明の一実施例にかかる画像形成装置の構成例を示している。
【００１５】
同図において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００１６】
また、この画像形成装置は、一枚の原稿を給送完了により原稿枚数をカウントアップするカウント機能を有している。また、開閉センサＳＳ１は、ＡＤＦ１がコンタクトガラス６を覆う態様（すなわち、「閉」状態）にあるか否かを検出するためのものであり、外光センサＳＳ２は、コンタクトガラス６を透過して筺体内部に入射される外光の光量を検出するためのものである。また、基準白板ＷＷは、シェーディング補正（後述）に使用される基準白画像を形成するためのものである。
【００１７】
給送された原稿は読み取りユニット５０によってコンタクトガラス６上の原稿の画像データを読み取り後、読み取りが終了した原稿は、給送ベルト４および排送ローラ５によって排出される。
【００１８】
さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００１９】
第１トレイ８、第２トレイ９、第３トレイ１０に積載された転写紙（記録紙）は、各々第１給紙装置１１、第２給紙装置１２、第３給紙装置１３によって給紙され、縦搬送ユニット１４によって感光体１５に当接する位置まで搬送される。また、第１トレイ８、第２トレイ９、および、第３トレイ１０には、それぞれ収容した転写紙のサイズ（大きさと載置態様；後述）を検出するための転写紙サイズ検出機構が設けられている。この転写紙サイズ検出機構は、例えば、ダイアルにより転写紙サイズをセットする等、周知の構成のものである。
【００２０】
読み取りユニット５０にて読み込まれた画像データは、書き込みユニット５７からのレーザーによって感光体１５に書き込まれ、現像ユニット２７を通過することによってトナー像が形成される。
【００２１】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２２】
後処理装置のフィニシャ１００は、本体の排紙ローラ１９によって搬送された転写紙を、通常、排紙ローラ１０２方向、あるいは、ステープル処理部方向へ導くことができる。
【００２３】
切り替え板１０１を上に切り替えることにより、搬送ローラ１０３を経由して通常排紙トレイ１０４側に排紙することができる。
【００２４】
また、切り替え板１０１を下方向に切り替えることで、搬送ローラ１０５，１０７を経由して、ステープル台１０８へ搬送することができる。
【００２５】
ステープル台１０８に積載された転写紙は、一枚排紙されるごとに紙揃え用のジョガー１０９によって、紙端面が揃えられ、一部のコピー完了とともにステープラ１０６によって綴じられる。ステープラ１０６で綴じられた転写紙群は自重によって、ステープル完了排紙トレイ１１０に収納される。
【００２６】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２７】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦、両面給紙ユニット１１１にストックする。
【００２８】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。
【００２９】
この様に転写紙の両面に画像を作成する場合に両面給紙ユニット１１１は使用される。また、画像の載った転写紙の裏面に印字を行なう際にも両面給紙ユニット１１１を用いて転写紙の裏表を変える。
【００３０】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３１】
また、読み取りユニット５０には、図２に示すように、コンタクトガラス６に載置された原稿のサイズ（大きさと、載置態様（縦置き／横置き））を検出するための原稿サイズ検出センサＳＢ１〜ＳＢ５が配設されている。
【００３２】
この場合、コンタクトガラスに６にＡ５横置きの原稿が載置された場合は、原稿サイズ検出センサＳＢ１のみがオン動作し、他の原稿サイズ検出センサＳＢ２〜ＳＢ５はオフ動作する。また、Ａ４縦置きの原稿が載置された場合は、原稿サイズセンサＳＢ１，ＳＢ２がオン動作し、原稿サイズ検出センサＳＢ２〜ＳＢ５はオフ動作する。また、Ｂ４縦置きの原稿が載置された場合は、原稿サイズセンサＳＢ１〜ＳＢ３がオン動作し、原稿サイズセンサＳＢ４，ＳＢ５はオフ動作する。また、Ａ４横置きの原稿が載置された場合は、原稿サイズセンサＳＢ１，ＳＢ５がオン動作し、原稿サイズセンサＳＢ２〜ＳＢ４はオフ動作する。
【００３３】
このようにして、原稿サイズセンサＳＢ１〜ＳＢ５のオンオフ動作に基づいて、コンタクトガラス６に載置された原稿のサイズ（大きさと、載置態様（縦置き／横置き））を検出することができる。
【００３４】
図３は、操作部３０の構成例を示した図である。
【００３５】
操作部３０には、液晶タッチパネル３１、テンキー３２、クリア／ストップキー３３、プリントキー３４、予熱キー３５、リセットキー３６、初期設定キー３７があり、液晶タッチパネル３１には、各種機能キーおよび画像形成装置の状態を示すメッセージなどが表示される。
【００３６】
オペレータが液晶タッチパネル３１に表示されたキーにタッチすることで、選択された機能を示すキーが黒く反転する。また、機能の詳細を指定しなければならない場合（例えばページ印字の種類等）はキーにタッチすることで詳細機能の設定画面が表示される。このように、液晶タッチパネルは、ドット表示器を使用している為、その時の最適な表示をグラフィカルに行なうことが可能である。
【００３７】
初期設定キー３７を押すことで、機械の初期状態を任意にカスタマイズすることが可能である。機械が収納している用紙サイズを設定したり、コピー機能のリセットキーを押したときに設定される状態を任意に設定したりすることが可能である。
【００３８】
また、一定時間操作が無いときに優先して選択されるアプリケーション等も選択すること、国際エネルギースター計画に従った低電力への移行時間の設定や、オートオフ／スリープモードへの移行する時間を設定することが可能である。
【００３９】
予熱キー３５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。
【００４０】
コピーキー３８の押下により、コピー機能の使用が可能である。そのほか、コピーサーバーキー３９は、既存の蓄積画像データの編集（コピーモード設定、印刷、削除）を行なうときに使用する。スキャナアプリキー４１は原稿を機器内部の記憶装置に蓄積するとき、スキャナより読み取った入力画像や蓄積されている画像データなどを外部に送信するとき等に使用する。
【００４１】
図４は、操作部３０の液晶タッチパネル３１の表示の一例を示している。
【００４２】
オペレータが液晶タッチパネル３１に表示されたキーにタッチすることで、選択された機能を示すキーが黒く反転する。
【００４３】
また、機能の詳細を指定しなければならない場合（例えば変倍であれは変倍値等）は、キーにタッチすることで、詳細機能の設定画面が表示される。このように、液晶タッチパネルは、ドット表示器を使用している為、その時の最適な表示をグラフィカルに行なうことが可能である。
【００４４】
図４において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。
【００４５】
また、給紙トレイ数に対応した給紙トレイ状態を示し、手動で給紙段を設定するためのキーが給紙段分表示されている。
【００４６】
図５は、メインコントローラを中心に、制御装置を図示したものである。
【００４７】
メインコントローラ２０は画像形成装置全体を制御する。
【００４８】
メインコントローラ２０には、オペレータに対する表示、オペレータからの機能設定入力制御を行なう操作部３０、スキャナの制御、原稿画像を画像メモリに書き込む制御、画像メモリからの作像を行なう制御等を行なう画像処理ユニット（ＩＰＵ）４９、原稿自動送り装置（ＡＤＦ）１、等の分散制御装置が接続されている。各分散制御装置とメインコントローラ２０は必要に応じて機械の状態、動作司令のやりとりを行っている。
【００４９】
また、紙搬送等に必要なメインモータ２５、各種クラッチ２１〜２４も接続されている。また、センサ群ＳＳｋは、開閉センサＳＳ１、外光センサＳＳ２、および、原稿サイズ検出センサＳＢ１〜ＳＢ５などの各種センサからなり、これらのセンサ群ＳＳｋからの検出信号は、メインコントローラ２０へ出力されている。
【００５０】
ここで、図１（ａ）に戻り、画像形成装置の原稿読み取りから、画像の書き込みまでを説明する。
【００５１】
読み取りユニット５０は、原稿を載置するコンタクトガラス６と光学走査系で構成されており、光学走査系は、多数のＬＥＤを主走査方向へ配列して構成された線状光源５１（図１（ｂ）参照）、第１ミラー５２、レンズ５３、ＣＣＤイメージセンサ５４等々で構成されている。
【００５２】
線状光源５１および第１ミラー５２は図示しない第１キャリッジ上に固定され、第２ミラー５５および第３ミラー５６は図示しない第２キャリッジ上に固定されている。原稿像を読み取るときには、光路長が変わらないように、第１キャリッジ第２キャリッジとが２対１の相対速度で機械的に走査される。
【００５３】
この光学走査系は、図示しないスキャナ駆動モータにて駆動される。原稿画像は、ＣＣＤイメージセンサ５４によって読み取られ、電気信号に変換されて処理される。
【００５４】
書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。
【００５５】
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００５６】
図６は、画像処理ユニット（ＩＰＵ）４９の内部構成の一例を示している。
【００５７】
線状光源５１から照射された光の反射を、ＣＣＤイメージセンサ５４にて光電変換し、Ａ／Ｄコンバータ６１にてデジタル信号に変換する。
【００５８】
デジタル信号に変換された画像信号は、シェーディング補正６２がなされた後、画像処理部６３にてＭＴＦ補正、γ補正等がなされる。
【００５９】
その後、印字合成部７１を介して入力した画像データを変倍回路７６へ、或いは、画像メモリコントローラ６５へ切り替えて供給するものであり、変倍回路７７を経由した画像信号は変倍率に合せて拡大縮小され、書き込みユニット５７に送られる。
【００６０】
一方、画像メモリコントローラ６５とセレクタ６４間は、双方向に画像信号を入出力可能な構成となっている。
【００６１】
なお、図６には特に明示していないが、ＩＰＵ４９には読み取りユニット５０から入力される画像データ以外にもＩ／Ｏポート６７を介して外部から供給される画像データ、例えば、パーソナルコンピュータ等のデータ処理装置から入力したデータも処理できるよう、複数データの入出力選択を行なう機能を有しているものとする。
【００６２】
また、画像メモリコントローラ６５等への設定や、読み取り部５０、書き込み部５７の制御を行なうＣＰＵ６８、およびそのプログラムやデータを格納するＲＯＭ６９、ＲＡＭ７０、ＮＶ−ＲＡＭ７４を備えている。
【００６３】
さらに、ＣＰＵ６８は、メモリコントローラ６５を介して、画像メモリ６６のデータの書き込み、読み出しが行なえる。原稿画像で画像メモリコントローラ６５へ送られた画像は、画像メモリコントローラ内にある画像圧縮装置によって画像データを圧縮した後、画像メモリ６６に送られる。
【００６４】
ここで、画像圧縮する理由は、次のようなものである。最大画像サイズ分の２５６階調のデータをそのまま画像メモリ６６に書き込むことも可能であるが、１枚の原稿画像で画像メモリを大変多く使用する。そこで、画像圧縮を行なうことで、限られた画像メモリを有効に利用できるようにしているのである。
【００６５】
また、一度に多くの原稿画像データを記憶することができるため、ソート機能として、貯えられた原稿画像イメージデータをページ順に出力することができる。
【００６６】
この場合、画像を出力する際に画像メモリ６６のデータをメモリコントローラ６５内の伸長装置で順次伸長しながら出力を行なう。
【００６７】
このような機能は、一般に「電子ソート」と呼ばれている。また画像メモリの機能を利用して、複数枚の原稿画像を、画像メモリの転写紙一枚分のエリアを分割したエリアに順次読み込むことも可能となる。
【００６８】
例えば、４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００６９】
画像メモリ６６の画像はＣＰＵ６８からアクセス可能な構成となっている。このため画像メモリの内容を加工することが可能であり、例えば画像の間引き処理、画像の切り出し処理等が行なえる。加工には、メモリコントローラ６５のレジスタにデータを書き込むことで画像メモリの処理を行なうことができる。
【００７０】
加工された画像は再度画像メモリに保持される。画像メモリ６６は、処理を行なう画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。
【００７１】
これにより、エリア１に画像を入力（ライト）する間に、エリア２より画像を出力（リード）するという動作が可能になる。
【００７２】
画像メモリ６６は、多くの画像データを収納するためハードディスクを別に設けることもある。ハードディスクを用いることにより、外部電源が不用で永久的に画像を保持できる特徴もある。複数の定型の原稿（フォーマット原稿）をスキャナで読み込み保持するためには、このハードディスクが用いられるのが一般的である。
【００７３】
書き込み、読み出しには本体の作像やスキャナからの画像書き込みに対し処理速度の差を吸収する為に、画像メモリに一旦記憶され処理される。また、画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラ６５によって画像パスを決められる。
【００７４】
このように、ＣＰＵ６８が画像データの入力、出力を決めることでＣＰＵ６８に接続されたメモリコントローラ６５が画像の流れを切り替えることが可能となる。
【００７５】
また、図７に示すように、線状光源５１を構成するＬＥＤアレイを駆動するためのＬＥＤ光源駆動部ＤＤが設けられている。このＬＥＤ光源駆動部ＤＤは、線状光源５１を構成する各ＬＥＤを個別に駆動することができる。これにより、線状光源５１は、例えば、Ａ３縦原稿の幅寸法、Ａ４縦原稿の幅寸法、Ｂ４縦原稿の幅寸法など、読み取り原稿を照明する幅寸法を適宜に調整できるようになっている。また、このＬＥＤ光源駆動部ＤＤは、Ｉ／Ｏポート６７を介してＣＰＵ６８と通信しており、ＣＰＵ６８から指令された読み取り幅に対応して、線状光源５１のＬＥＤアレイを駆動する。
【００７６】
ここで、図８（ａ）〜（ｆ）を用いて、セレクタ６４における１ページ分の画像信号について説明する。
【００７７】
フレームゲート信号／ＦＧＡＴＥ（同図（ｂ））は、１ページの画像データの副走査方向の有効期間を表している。主走査同期信号／ＬＳＹＮＣ（同図（ａ））は、１ライン毎の主走査同期信号であり、この信号が立ち上がった後の所定クロックで、画像信号が有効となる。主走査方向の画像信号が有効であることを示す信号が、ラインゲート信号／ＬＧＡＴＥ（同図（ｆ））である。
【００７８】
これらの信号は、画素クロックＶＣＬＫ（同図（ｄ））に同期しており、画素クロックＶＣＬＫの１周期に対し、１画素８ビット（２５６階調）のデータが送られてくる。本実施例では、転写紙への書込密度４００ｄｐｉ、最大画素数は、主走査４８００画素、副走査６８００画素である。また、本実施例では、画像データは値２５５に近いほど白画像になるとする。
【００７９】
なお、印字機能は図６に示すように、画像メモリ６６の後段で行ない（印字合成部７１）転写紙毎に印字を付加する。
【００８０】
また、メインコントローラ２０には、種々の設定情報が記憶されている。例えば、図９（ａ）に示すように、外光センサＳＳ２が検出した外光量に基づいて、制御処理（後述）を切り替えるための外光量判定情報が記憶されている。この外光量判定情報は、２つの閾値１，２からなる。ここで、閾値１＜閾値２の関係がある。
【００８１】
以上の構成で、ユーザが例えばブック原稿の複写物を作成する場合には、ＡＤＦ１を開き、ブック原稿をコンタクトガラス６に載置し、操作部３０からコピースタートを指令操作する。このとき、ユーザは、操作部３０を適宜に操作して、原稿サイズや複写部数などを入力することができる。なお、原稿サイズの入力画面や、複写部数の入力画面等の操作画面は、周知であるので説明を省略する。
【００８２】
このようにして、ユーザによりコピースタートが指令されると、メインコントローラ２０は、図１０に示す処理を行って、コピー動作を行う。
【００８３】
すなわち、コピースタートが指令されたことを検出すると（判断Ｓ１０１の結果がＹＥＳ）、ユーザが原稿サイズを入力しているかどうかを調べる（判断Ｓ１０２）。判断Ｓ１０２の結果がＹＥＳになるときには、ユーザにより入力された原稿サイズを、このときの読み取り原稿サイズとして設定する（処理Ｓ１０３）。
【００８４】
また、ユーザが原稿サイズを入力しなかった場合で、判断Ｓ１０２の結果がＮＯになるときには、原稿サイズセンサＳＢ１〜ＳＢ５の検出信号に基づいて、コンタクトガラス６に載置された原稿サイズを検出する（処理Ｓ１０４）。
【００８５】
このとき、原稿サイズセンサＳＢ１〜ＳＢ５の検出動作が適切で、原稿サイズの検出が成功している場合には（判断Ｓ１０５の結果がＹＥＳ）、そのときの検出サイズを、読み取り原稿サイズとして設定する（処理Ｓ１０６）。また、原稿サイズセンサＳＢ１〜ＳＢ５の検出動作が不適切で、原稿サイズの検出が成功しなかった場合には（判断Ｓ１０５の結果がＮＯ）、設定可能な最大の原稿サイズ（この場合は、「Ａ３縦」）を、読み取り原稿サイズとして設定する（処理Ｓ１０７）。
【００８６】
このようにして、読み取り原稿サイズを設定すると、そのときの読み取り原稿サイズに対応した線状光源５１の読み取り幅を設定する（処理Ｓ１０８）。例えば、読み取り原稿サイズがＡ３縦とＡ４横の場合には、最大の読み取り幅（２９７ｍｍ）を設定する。また、読み取り原稿サイズがＡ４縦とＡ５横の場合には、Ａ４縦の主走査方向の読み取り幅（２１０ｍｍ）を設定する。また、読み取り原稿サイズがＢ４縦の場合には、Ｂ４縦の主走査方向の読み取り幅（２５７ｍｍ）を設定する。
【００８７】
そして、その設定した読み取り幅をＬＥＤアレイ光源駆動部ＤＤへ通知して、線状光源５１の点灯幅を指定する。その上で、通常のコピー動作（処理Ｓ１０９）を実行して、複写物を作成し、記録出力する。処理Ｓ１０９の通常のコピー動作では、設定された原稿サイズと等倍の用紙を、転写紙として選択し、当該転写紙を収容しているトレイ（第１トレイ８、第２トレイ９または第３トレイ１０）から転写紙を給紙する。
【００８８】
このようにして、本実施例では、ユーザがＡＤＦ１を開いた状態で、コンタクトガラス６に読み取り原稿を載置している場合、ユーザが入力した原稿サイズ、あるいは、検出した原稿サイズに対応した読み取り幅に相当した点灯範囲で、線状光源５１が点灯するので、読み取り原稿の周囲から線状光源５１の光源光が漏れず、あるいは、漏れてもごく少ない量となり、ユーザが眩しさを感じる度合いを大幅に軽減することができる。また、必要な点灯幅のみ線状光源５１が点灯することから、省エネ効果も期待される。
【００８９】
ところで、この画像形成装置では、ユーザは、複写時の変倍率を設定することができ、また、給紙トレイも選択することができる。例えば、選択された給紙トレイに収容されている転写紙の用紙サイズが、原稿サイズより小さい場合、転写紙からはみ出る部分の画像データは有効に使用されないので、原稿を照明する幅寸法は、転写紙の用紙サイズに対応した部分だけで足りる。また、変倍率が１．０より大きい場合、転写紙からはみ出る部分の画像は、同様に有効に複写されないので、この場合も転写紙に形成される画像部分のみ原稿を照明できればよいと言うことになる。
【００９０】
そこで、が設定された後、給紙トレイが指定されている場合、当該指定された給紙トレイの用紙サイズと、読み取り原稿サイズとを比較して、より小さいサイズに対応した部分のみ線状光源５１で照明させるようにする。また、変倍率が設定されている場合には、変倍率も考慮した読み取り幅を算出する。
【００９１】
したがって、この場合の読み取り幅は、次の式（ＩＩ）のようになる。
読み取り幅＝（（原稿幅×変倍率）と（用紙幅）の小さい方）／変倍率    …（ＩＩ）
ここで、原稿幅は、読み取り原稿サイズに対応した幅寸法をいい、用紙幅は、転写紙の用紙サイズに対応した幅寸法を言う。
【００９２】
この場合、メインコントローラ２０は、図１１の処理を実行して、コピー動作を行う。
【００９３】
すなわち、コピースタートが指令されたことを検出すると（判断Ｓ２０１の結果がＹＥＳ）、ユーザが原稿サイズを入力しているかどうかを調べる（判断Ｓ２０２）。判断Ｓ２０２の結果がＹＥＳになるときには、ユーザにより入力された原稿サイズを、このときの読み取り原稿サイズとして設定する（処理Ｓ２０３）。
【００９４】
また、ユーザが原稿サイズを入力しなかった場合で、判断Ｓ２０２の結果がＮＯになるときには、原稿サイズセンサＳＢ１〜ＳＢ５の検出信号に基づいて、コンタクトガラス６に載置された原稿サイズを検出する（処理Ｓ２０４）。
【００９５】
このとき、原稿サイズセンサＳＢ１〜ＳＢ５の検出動作が適切で、原稿サイズの検出が成功している場合には（判断Ｓ２０５の結果がＹＥＳ）、そのときの検出サイズを、読み取り原稿サイズとして設定する（処理Ｓ２０６）。また、原稿サイズセンサＳＢ１〜ＳＢ５の検出動作が不適切で、原稿サイズの検出が成功しなかった場合には（判断Ｓ２０５の結果がＮＯ）、設定可能な最大の原稿サイズ（この場合は、「Ａ３縦」）を、読み取り原稿サイズとして設定する（処理Ｓ２０７）。
【００９６】
このようにして、読み取り原稿サイズを設定すると、次に、ユーザにより指定された給紙トレイから、収容されている転写紙の用紙サイズを検出する（処理Ｓ２０８）。この場合、前述したように、第１トレイ８、第２トレイ９、第３トレイ１０には、それぞれ転写紙サイズ検出機構が設けられているので、メインコントローラ２０は、指定された給紙トレイの転写紙サイズ検出機構からの出力を得て、用紙サイズを検出する。
【００９７】
次に、ユーザにより変倍コピーが指定さているかどうかを調べる（判断Ｓ２０９）。等倍コピーが指定されている場合で、判断Ｓ２０９の結果がＮＯになるときには、それまでの処理で設定した読み取り原稿サイズに対応した読み取り幅と、用紙サイズに対応した読み取り幅のうち、より小さい寸法を読み取り幅として決定する（処理Ｓ２１０）。例えば、読み取り原稿サイズがＢ４縦（読み取り幅は２５７ｍｍ）で、用紙サイズがＡ４縦（読み取り幅は２１０ｍｍ）の場合には、Ａ４縦の読み取り幅２１０ｍｍを読み取り幅として決定する。
【００９８】
そして、その設定した読み取り幅をＬＥＤアレイ光源駆動部ＤＤへ通知して、線状光源５１の点灯幅を指定する。その上で、等倍コピー動作（処理Ｓ２１２）を実行して、複写物を作成し、記録出力する。
【００９９】
一方、ユーザにより変倍率が入力されている場合で、判断Ｓ２０９の結果がＹＥＳになるときには、上述した式（ＩＩ）に基づいて、読み取り幅を算出し（処理Ｓ２１３）、その算出された読み取り幅をＬＥＤアレイ光源駆動部ＤＤへ通知して、線状光源５１の点灯幅を指定する。その上で、変倍コピー動作（処理Ｓ２１５）を実行して、複写物を作成し、記録出力する。
【０１００】
このようにして、本実施例では、ユーザが作成しようとする複写物の態様、用紙サイズおよび変倍率に応じて、線状光源５１の点灯幅が必要幅に調整されるので、読み取り原稿の周囲から線状光源５１の光源光が漏れず、あるいは、漏れてもごく少ない量となり、ユーザが眩しさを感じる度合いを大幅に軽減することができる。また、必要な点灯幅のみ線状光源５１が点灯することから、省エネ効果も期待される。
【０１０１】
図１２は、メインコントローラ２０が行うコピー動作の他の例の処理を示している。
【０１０２】
この場合、コピースタートが指令されたことを検出すると（判断Ｓ３０１の結果がＹＥＳ）、開閉センサＳＳ１がＡＤＦ１の開を検出しているかどうかを調べる（判断Ｓ３０２）。判断Ｓ３０２の結果がＮＯになる場合には、ＡＤＦ１が閉じられているので、通常のコピー動作を行う（処理Ｓ３０３）。
【０１０３】
また、ＡＤＦ１が開いている場合で、判断Ｓ３０２の結果がＹＥＳになるときには、ユーザが原稿サイズを入力しているかどうかを調べる（判断Ｓ３０４）。判断Ｓ３０４の結果がＹＥＳになるときには、ユーザにより入力された原稿サイズを、このときの読み取り原稿サイズとして設定する（処理Ｓ３０５）。
【０１０４】
また、ユーザが原稿サイズを入力しなかった場合で、判断Ｓ３０４の結果がＮＯになるときには、原稿サイズセンサＳＢ１〜ＳＢ５の検出信号に基づいて、コンタクトガラス６に載置された原稿サイズを検出する（処理Ｓ３０６）。
【０１０５】
このとき、原稿サイズセンサＳＢ１〜ＳＢ５の検出動作が適切で、原稿サイズの検出が成功している場合には（判断Ｓ３０７の結果がＹＥＳ）、そのときの検出サイズを、読み取り原稿サイズとして設定する（処理Ｓ３０８）。また、原稿サイズセンサＳＢ１〜ＳＢ５の検出動作が不適切で、原稿サイズの検出が成功しなかった場合には（判断Ｓ３０７の結果がＮＯ）、設定可能な最大の原稿サイズ（この場合は、「Ａ３縦」）を、読み取り原稿サイズとして設定する（処理Ｓ３０９）。
【０１０６】
このようにして、読み取り原稿サイズを設定すると、次に、ユーザにより指定された給紙トレイから、収容されている転写紙の用紙サイズを検出する（処理Ｓ３１０）。この場合、前述したように、第１トレイ８、第２トレイ９、第３トレイ１０には、それぞれ転写紙サイズ検出機構が設けられているので、メインコントローラ２０は、指定された給紙トレイの転写紙サイズ検出機構からの出力を得て、用紙サイズを検出する。
【０１０７】
次に、ユーザにより変倍コピーが指定さているかどうかを調べる（判断Ｓ３１１）。等倍コピーが指定されている場合で、判断Ｓ３１１の結果がＮＯになるときには、それまでの処理で設定した読み取り原稿サイズに対応した読み取り幅と、用紙サイズに対応した読み取り幅のうち、より小さい寸法を読み取り幅として決定する（処理Ｓ３１２）。例えば、読み取り原稿サイズがＢ４縦（読み取り幅は２５７ｍｍ）で、用紙サイズがＡ４縦（読み取り幅は２１０ｍｍ）の場合には、Ａ４縦の読み取り幅２１０ｍｍを読み取り幅として決定する。
【０１０８】
そして、その設定した読み取り幅をＬＥＤアレイ光源駆動部ＤＤへ通知して、線状光源５１の点灯幅を指定する。その上で、等倍コピー動作（処理Ｓ３１３）を実行して、複写物を作成し、記録出力する。
【０１０９】
一方、ユーザにより変倍率が入力されている場合で、判断Ｓ３１１の結果がＹＥＳになるときには、上述した式（ＩＩ）に基づいて、読み取り幅を算出し（処理Ｓ３１５）、その算出された読み取り幅をＬＥＤアレイ光源駆動部ＤＤへ通知して、線状光源５１の点灯幅を指定する。その上で、変倍コピー動作（処理Ｓ３１７）を実行して、複写物を作成し、記録出力する。
【０１１０】
このようにして、本実施例では、開閉センサＳＳ１がＡＤＦ１の開放を検出している場合にのみ、線状光源５１の点灯幅の制御を行うようにしている。
【０１１１】
図１３は、メインコントローラ２０が行うコピー動作のさらに他の例の処理を示している。
【０１１２】
この場合、コピースタートが指令されたことを検出すると（判断Ｓ４０１の結果がＹＥＳ）、外光センサＳＳ２より外光量の検出値を入力し（処理Ｓ４０２）、外光量が外光量判定情報の閾値１よりも大きい値であるかどうかを調べる（判断Ｓ４０３）。外光量が閾値１以下の場合は（判断Ｓ４０３の結果がＮＯ）、ＡＤＦ１が閉じられている場合なので、通常のコピー動作を行う（処理Ｓ４０５）。
【０１１３】
また、外光量が閾値１よりも大きい場合は（判断Ｓ４０３の結果がＹＥＳ）、ＡＤＦ１が開いている場合なので、ユーザが原稿サイズを入力しているかどうかを調べる（判断Ｓ４０６）。判断Ｓ４０６の結果がＹＥＳになるときには、ユーザにより入力された原稿サイズを、このときの読み取り原稿サイズとして設定する（処理Ｓ４０７）。
【０１１４】
また、ユーザが原稿サイズを入力しなかった場合で、判断Ｓ４０６の結果がＮＯになるときには、原稿サイズセンサＳＢ１〜ＳＢ５の検出信号に基づいて、コンタクトガラス６に載置された原稿サイズを検出する（処理Ｓ４０８）。
【０１１５】
このとき、原稿サイズセンサＳＢ１〜ＳＢ５の検出動作が適切で、原稿サイズの検出が成功している場合には（判断Ｓ４０９の結果がＹＥＳ）、そのときの検出サイズを、読み取り原稿サイズとして設定する（処理Ｓ４１０）。また、原稿サイズセンサＳＢ１〜ＳＢ５の検出動作が不適切で、原稿サイズの検出が成功しなかった場合には（判断Ｓ４０９の結果がＮＯ）、設定可能な最大の原稿サイズ（この場合は、「Ａ３縦」）を、読み取り原稿サイズとして設定する（処理Ｓ４１１）。
【０１１６】
このようにして、読み取り原稿サイズを設定すると、次に、ユーザにより指定された給紙トレイから、収容されている転写紙の用紙サイズを検出する（処理Ｓ４１２）。この場合、前述したように、第１トレイ８、第２トレイ９、第３トレイ１０には、それぞれ転写紙サイズ検出機構が設けられているので、メインコントローラ２０は、指定された給紙トレイの転写紙サイズ検出機構からの出力を得て、用紙サイズを検出する。
【０１１７】
次に、ユーザにより変倍コピーが指定さているかどうかを調べる（判断Ｓ４１３）。等倍コピーが指定されている場合で、判断Ｓ４１３の結果がＮＯになるときには、それまでの処理で設定した読み取り原稿サイズに対応した読み取り幅と、用紙サイズに対応した読み取り幅のうち、より小さい寸法を読み取り幅として決定する（処理Ｓ４１４）。例えば、読み取り原稿サイズがＢ４縦（読み取り幅は２５７ｍｍ）で、用紙サイズがＡ４縦（読み取り幅は２１０ｍｍ）の場合には、Ａ４縦の読み取り幅２１０ｍｍを読み取り幅として決定する。
【０１１８】
そして、その設定した読み取り幅をＬＥＤアレイ光源駆動部ＤＤへ通知して、線状光源５１の点灯幅を指定する。その上で、等倍コピー動作（処理Ｓ４１５）を実行して、複写物を作成し、記録出力する。
【０１１９】
一方、ユーザにより変倍率が入力されている場合で、判断Ｓ４１３の結果がＹＥＳになるときには、上述した式（ＩＩ）に基づいて、読み取り幅を算出し（処理Ｓ４１７）、その算出された読み取り幅をＬＥＤアレイ光源駆動部ＤＤへ通知して、線状光源５１の点灯幅を指定する。その上で、変倍コピー動作（処理Ｓ４１９）を実行して、複写物を作成し、記録出力する。
【０１２０】
このようにして、本実施例では、外光センサＳＳ２が検出している外光量が閾値１より大きい場合、すなわち、ＡＤＦ１が開放を検出している場合にのみ、線状光源５１の点灯幅の制御を行うようにしている。
【０１２１】
ところで、上述した実施例では、線状光源５１として、ＬＥＤアレイを用いて、点灯幅を任意に設定できるようにしているが、例えば、図１４（ａ）に示すような長尺なランプＬＬ（例えば、蛍光灯やキセノンランプなど）を用いた場合には、同図（ｂ），（ｃ）に示すように、ランプＬＬからコンタクトガラス６までの間に、光源光を主走査方向に部分的に照射するような遮蔽機構を備えたシャッタ機構ＳＳを設けても、同様な光源を実現することができる。
【０１２２】
この場合、シャッタ機構ＳＳには、光源光を通過する窓ＡＰが設けられていて、その窓を幅ＲＷ１，ＲＷ２，ＲＷ３に遮蔽するシャッタ部材ＳＴ１，ＳＴ２を配設する。そして、このシャッタ部材ＳＴ１，ＳＴ２を、図１５に示すようなシャッタ機構駆動部ＳＳｄで駆動することで、必要な光源光の照射寸法を得ることができる。
【０１２３】
また、図１５において、ランプ駆動部ＬＬｄは、ランプＬＬを駆動するものである。
【０１２４】
ところで、上述した実施例では、点灯幅を任意に設定できる線状光源５１を用いて、原稿を照明しているが、図１４（ａ）のランプＬＬのみ（シャッタ機構ＳＳを備えない）を用いて照明する場合、複写時のユーザの眩しさを防止するためには、ランプＬＬの光量を減少すればよい。すなわち、この場合には、ランプＬＬの発光量を減光させる。
【０１２５】
ただし、ランプＬＬの発光量を減光した場合、ＣＣＤ５４の読み取り信号を処理するシェーディング補正６２やＭＴＦ・γ補正６３の補正定数を調整する必要があると考えられる。そこで、例えば、シェーディング補正６２やＭＴＦ・γ補正６３のアナログ信号処理の補正定数として、図９（ｂ）に示すようなアナログ処理設定情報をＮＶ−ＲＡＭ７４などに記憶させておく。このアナログ処理設定情報は、通常光量時のシェーディング補正６２やＭＴＦ・γ補正６３の補正定数の設定値を記憶した通常光量時設定値セットと、減光量時のシェーディング補正６２やＭＴＦ・γ補正６３の補正定数の設定値を記憶した減光量時設定値セットからなる。
【０１２６】
そして、システムとして、同図（ｃ）に示すようなランプ減光機能情報を設け、ユーザの設定値（ランプ減光機能フラグ）を記憶しておく。このランプ減光機能フラグは、ユーザが、ＡＤＦ１の開放時に、ランプＬＬを減光させる機能を使用する旨を設定入力しているか否かを記憶するためのものであり、使用することが設定された場合には「オン」が記憶され、使用しないことが設定された場合には「オフ」が記憶される。また、ユーザの設定入力には、適宜な操作画面等が表示されるが、詳細は省略する。
【０１２７】
図１６は、この場合のメインコントローラ２０が行うコピー動作の一例を示している。
【０１２８】
この場合、コピースタートが指令されたことを検出すると（判断Ｓ５０１の結果がＹＥＳ）、ランプ減光機能フラグの値を調べて、ランプ減光機能がオンになっているかどうかを調べる（判断Ｓ５０２）。判断Ｓ５０２の結果がＹＥＳになるときには、外光センサＳＳ２により外光量の検出値を入力し（処理Ｓ５０３）、外光量が外光量判定情報の閾値１よりも大きく、かつ、閾値２よりも小さい範囲の値に含まれるかどうかを調べる（判断Ｓ５０４，Ｓ５０５）。外光量が閾値１以下の場合は（判断Ｓ５０４の結果がＮＯ）、ＡＤＦ１が閉じられている場合なので、通常のコピー動作を行う。また、外光量が閾値２以上の場合には、アナログ処理を適切に補正できないので、通常のコピー動作を行う。また、ランプ減光機能がオフされていて、判断Ｓ５０２の結果がＮＯになるときにも通常のコピー動作を行う。
【０１２９】
通常のコピー動作では、まず、アナログ信号処理の諸定数に通常光量時設定値セットの値をセットし（処理Ｓ５０６）、通常のコピー動作を行う（処理Ｓ５０７）。
【０１３０】
また、外光量が外光量判定情報の閾値１よりも大きく、かつ、閾値２よりも小さい範囲の値に含まれる場合で、判断Ｓ５０５の結果がＹＥＳになるときには、ランプ減光機能を使用する。
【０１３１】
すなわち、まず、ランプ駆動部ＬＬｄに、減光量値に対応した指令値を出力して、ランプＬＬの光量を減光する（処理Ｓ５０８）。それとともに、アナログ信号処理の諸定数に減光量時設定値セットの値をセットし（処理Ｓ５０９）、コピー動作を行う（処理Ｓ５１０）。
【０１３２】
ところで、上述した各実施例では、ＡＤＦを用いた場合について説明したが、ＡＤＦを備えずに、圧板で原稿の背面からコンタクトガラスに密着させる構成の装置であっても、本発明を同様にして適用することができる。
【０１３３】
また、上述した実施例では、複写機能を備えた画像処理装置について本発明を適用したが、画像読取機能のみを備えた画像処理装置についても、本発明を同様にして適用することができる。
【図面の簡単な説明】
【０１３４】
【図１】本発明の一実施例にかかる画像形成装置の構成例、および、線状光源５１の構成例を示した概略構成図。
【図２】原稿サイズ検出センサの一例を示した概略図。
【図３】操作部３０の構成例を示した概略構成図。
【図４】操作部３０の液晶タッチパネル３１の表示の一例を示した概略図。
【図５】メインコントローラを中心に、制御装置の構成の一例を示したブロック図。
【図６】画像処理ユニット（ＩＰＵ）４９の内部構成の一例を示したブロック図。
【図７】線状光源５１の駆動手段の一例を示したブロック図。
【図８】セレクタ６４における１ページ分の画像信号を説明するための波形図。
【図９】外光量判定情報、アナログ処理設定情報、および、ランプ減光機能情報の一例を示した概略図。
【図１０】メインユニットの処理の一例を示したフローチャート。
【図１１】メインユニットの処理の他の例を示したフローチャート。
【図１２】メインユニットの処理のさらに他の例を示したフローチャート。
【図１３】メインユニットの処理のまたさらに他の例を示したフローチャート。
【図１４】光源の他の例を示した概略図。
【図１５】光源の駆動手段の他の例を示したブロック図。
【図１６】メインユニットの処理の別な例を示したフローチャート。
【符号の説明】
【０１３５】
２０  メインコントローラ
３０  操作部
５１  線状光源
【図１】
2009111548.tif 000003
【図２】
2009111548.tif 000004
【図３】
2009111548.tif 000005
【図４】
2009111548.tif 000006
【図５】
2009111548.tif 000007
【図６】
2009111548.tif 000008
【図７】
2009111548.tif 000009
【図８】
2009111548.tif 000010
【図９】
2009111548.tif 000011
【図１０】
2009111548.tif 000012
【図１１】
2009111548.tif 000013
【図１２】
2009111548.tif 000014
【図１３】
2009111548.tif 000015
【図１４】
2009111548.tif 000016
【図１５】
2009111548.tif 000017
【図１６】
2009111548.tif 000018